(57)【要約】【課題】緩衝効果を有すると共に、被包装物を外部から見ることが可能でより利便性が高く、かつ製造が容易な包装箱を提供する。【解決手段】蓋板２２Ａの中央部には、長方形状に形成された折目ｂ８を介して４枚の平板で構成される緩衝部材６０が連接されている。折目ｂ８は、裏面を内側にして、緩衝部材６０と蓋板２２Ａとが直交するように折り曲げられ、折目ｂ８の長方形内側には、窓６２が形成される。緩衝部材６０の折目ｂ８に沿った端辺６４は、蓋板２２Ａが閉じられた状態で、トレイ７０の溝部７６に係合される。緩衝部材６０は、被包装物Ｄ１による蓋板２２Ａに向かう方向への押圧によって折れ曲がったり、押圧された方向に移動したりすることで変移可能となっている。包装された被包装物Ｄ１は、上側の中央部が常に窓６２を介して箱本体の外側に表出されている。【選択図】　図３
2004075096.tif 000002
【特許請求の範囲】
【請求項１】
被包装物を出し入れ可能な開口部を有する箱本体と、
前記箱本体と一体的に形成され、前記開口部をカバー可能な蓋と、
板状に形成され、前記箱本体に囲まれた内側を複数の部屋に仕切ると共に、板面に沿った前記開口部外側方向へ移動可能とされた仕切板と、
前記箱本体と一体的に連接された第１接続部及び前記仕切板と一体的に連接された第２接続部を有し、前記第１接続部と前記第２接続部との距離が伸縮可能とされた接続板と、
前記箱本体及び前記蓋の少なくとも一方の少なくとも一部を構成し、前記複数の部屋の少なくとも１つに収納された被包装物の一部を前記箱本体の外部から視認可能とする窓が構成された窓付板と、
前記被包装物と前記窓付板との間に配置され、この被包装物による前記窓付板へ向かう方向への押圧によって変移可能な緩衝部材と、
を備えた包装箱。
【請求項２】
前記緩衝部材は、前記窓付板に連接されていることを特徴とする請求項１に記載の包装箱。
【請求項３】
前記複数の部屋の少なくとも１つに収納された被包装物の移動を、前記箱本体の外部から前記窓を介してこの被包装物の特定の部分が常に視認可能とされる可視範囲内に制限する移動制限部材、を備えたことを特徴とする請求項１又は２に記載の包装箱。
【請求項４】
前記移動制限部材は、包装された被包装物と前記箱本体との間に緩衝空間を構成し、この被包装物による押圧によって前記可視範囲の外側へ変移可能であることを特徴とする請求項３に記載の包装箱。
【発明の詳細な説明】
【０００１】
【発明の属する技術分野】
本発明は包装箱に係り、特に、デジタルカメラ等の精密機器の包装に適用される包装箱に関する。
【０００２】
【従来の技術】
従来より、デジタルカメラ等の精密機器を包装する際には、発砲部材等の緩衝用部材を包装箱の内側に配置して、緩衝機能を持たせることが行われてきた。
【０００３】
しかしながら、包装箱とは別に緩衝用部材を配置すると、部品点数が増えるため、コストが高くなり、組み立てにも手間がかかる。
【０００４】
これに対して、実開平６−６９１１９号公報には、紙箱と緩衝用部材（中底壁、第１縦仕切壁、第２縦仕切壁）とが一体的に形成されている紙箱が開示されており、この技術によれば、包装箱としての紙箱の製造が容易で部品点数を減少させることができるという利点は有する。
【０００５】
しかしながら、上記公報に開示されている紙箱では、包装されているデジタルカメラ等を外部からは見ることはできない。上記の紙箱のように、緩衝機能を有する包装箱には緩衝用部材が備えられているので、デジタルカメラ等を外部から見えるようにすることは難しい。そのため、中身を確認するためには蓋を開け、場合によってはさらに、緩衝用部材を除去する必要があると共に、包装箱には、商品名や商品の写真等を印刷する必要があった。
【０００６】
また、上記公報に記載された紙箱の仕切板は、いずれも所定の位置に固定されており、仕切板を紙箱から出し入れすることはできない。
【０００７】
【発明が解決しようとする課題】
本発明は、上記事実を考慮して成されたものであり、緩衝効果を有すると共に、被包装物を外部から見ることが可能でより利便性が高く、かつ製造が容易な包装箱を提供することを目的とする。
【０００８】
【課題を解決するための手段】
上記目的を達成するために、本発明の包装箱は、被包装物を出し入れ可能な開口部を有する箱本体と、前記箱本体と一体的に形成され、前記開口部をカバー可能な蓋と、板状に形成され、前記箱本体に囲まれた内側を複数の部屋に仕切ると共に、板面に沿った前記開口部外側方向へ移動可能とされた仕切板と、前記箱本体と一体的に連接された第１接続部及び前記仕切板と一体的に連接された第２接続部を有し、前記第１接続部と前記第２接続部との距離が伸縮可能とされた接続板と、前記箱本体及び前記蓋の少なくとも一方の少なくとも一部を構成し、前記複数の部屋の少なくとも１つに収納された被包装物の一部を前記箱本体の外部から視認可能とする窓が構成された窓付板と、前記被包装物と前記窓付板との間に配置され、この被包装物による前記窓付板へ向かう方向への押圧によって変移可能な緩衝部材と、を含んで構成されている。
【０００９】
本発明の包装箱で被包装物を包装する際には、被包装物は開口部から箱本体内に収納される。この状態で蓋が閉められると、蓋により開口部がカバーされて、被包装物は包装箱内部に格納される。ここで、箱本体及び蓋の少なくとも一方の少なくとも一部を構成する窓付板には窓があるため、窓を介して包装された被包装物の少なくとも一部を見ることができる。
【００１０】
また、本発明の包装箱に衝撃が加えられ、被包装物により、緩衝部材が窓付板へ向かう方向へ押圧されると、この緩衝部材は変移する。これにより、被包装物への衝撃は吸収される。ここで変移とは、緩衝部材自体の平行移動や回転による移動や、緩衝部材自体の変形による一部の移動を意味する。
【００１１】
また、　本発明の包装箱は、仕切板によって、箱本体に囲まれた内側が複数の部屋に仕切られる。仕切板に対し、この仕切板の板面に沿った前記開口部外側方向へ力が加えられると、仕切板と連接された第２接続部にも同方向へ力が加わる。接続板は、箱本体と連接された第１接続部と第２接続部との距離が伸縮可能とされているので、仕切板は仕切板の板面に沿った開口部外側方向へ移動される。
【００１２】
そして、例えば、上記仕切板の上に被包装物を載置して包装し、被包装物を仕切板と共に開口部外側方向へ移動させれば、被包装物が仕切板と共に開口部外側方向へ移動され、被包装物を容易に取り出すことができるので、利便性が向上する。
【００１３】
また、仕切板は、第１接続部が箱本体と一体的に連接された接続板の第２接続部と連接されているので、仕切板、接続板、及び箱本体を一体的に形成することができる。その結果、上記緩衝効果及び利便性を有し、かつ、被包装物を外部から見ることの可能な包装箱を、容易に製造することができる。
【００１４】
本発明の包装箱は、請求項２に記載のように、前記緩衝部材を、前記窓付板に連接させることにより、緩衝部材を箱本体と一体的に形成することができる。
【００１５】
本発明の包装箱は、請求項３に記載のように、前記複数の部屋の少なくとも１つに収納された被包装物の移動を、前記箱本体の外部から前記窓を介してこの被包装物の特定の部分が常に視認可能とされる可視範囲内に制限する移動制限部材、を備えたことを特徴とすることもできる。
【００１６】
この構成によれば、移動制限部材によって、前記箱本体内に包装された被包装物の移動が、前前記箱本体の外部から前記窓を介してこの被包装物の特定の部分が常に視認可能とされる可視範囲内に制限される。ここで、特定の部分とは、被包装物を包装する側の者が意図する、被包装物の任意の部分をいい、例えば、被包装物の商品名が記載されている部分、その被包装物のデザイン的に特徴的な部分等を示す。このように、被包装物の特定の部分を常に外部から見えるようにすることにより、中身の確認をより容易に行うことができる。
【００１７】
なお、前記移動制限部材は、箱本体と一体とされる構成、及び箱本体と別体とされる構成の両方を含み、さらに、仕切板が移動制限部材を兼ねる構成も含む。さらには、移動制限部材が、緩衝部材を兼ねる場合も含まれる。
【００１８】
本発明の包装箱は、請求項４に記載のように、前記移動制限部材は、包装された被包装物と前記箱本体との間に緩衝空間を構成し、この被包装物による押圧によって前記可視範囲の外側へ変移可能であることを特徴とすることもできる。
【００１９】
この構成によれば、移動制限部材が被包装物による押圧によって前記可視範囲の外側へ変移可能であるため緩衝機能を有し、さらに移動制限部材と箱本体との間には緩衝空間が構成されているので、包装箱に衝撃が加えられても、その衝撃は吸収され、被包装物がより保護される。
【００２０】
【発明の実施の形態】
以下、本発明に係る包装箱の実施の形態について、図面を参照して説明する。
【００２１】
図１は、本実施の形態の包装箱１０の斜視図であり、図２は、本実施の形態の包装箱１０の印刷面側の展開図である。なお、図２に示される実線は所謂切取線を意味し、実線をはさんで隣接する構成要素同士は連接されておらず切り離されている。また、図２に示される二点鎖線は所謂折目線を意味し、二点鎖線をはさんで隣接する構成要素同士は連接されている。また、印刷面とは、包装箱１０が組み立てられた状態で外側になる面をいい、この面にディスプレイ効果を持たせるための印刷が施される。
【００２２】
図２に示すように、包装箱１０は、開閉板２０と、蓋としての蓋板２２Ａ、２２Ｂと、箱本体としての、底面板１２、側面板１４Ａ、１４Ｂ、上面板１６と、を備える。これらの構成要素、及び、後述する各構成要素のすべては、一枚の板から型取りされ、一体的に形成される。
【００２３】
図２に示すように、底面板１２、側面板１４Ａ、上面板１６、及び側面板１４Ｂは、この順で一方向のＨ方向に連接されている。側面板１４Ａと底面板１２とは、折目ｂ１を介して連接され、上面板１６と側面板１４Ａとは、折目ｂ２を介して連接され、側面板１４Ｂと上面板１６とは、折目ｂ３を介して連接されている。図１に示すように、折目ｂ１〜ｂ３は、裏面を内側に、かつ、隣接する板が互いに直交するように折り曲げられる。底面板１２の折目ｂ１と反対側には、接着部２６が折目ｂ４を介して連接されており、折目ｂ４は、裏面を内側に、かつ、接着部２６が底面板１２と直交するように折り曲げられる。折目ｂ４は、側面板１４Ｂの折目ｂ３と反対側の端辺と一致され、接着部２６の印刷面側と側面板１４Ｂの裏面とは、接着剤によって接着されている。
【００２４】
蓋板２２Ａ、蓋板２２Ｂ、底面板１２、及び開閉板２０は、この順でＨ方向と直交する方向に連接されている。蓋板２２Ａと蓋板２２Ｂとは、折目ａ１を介して連接され、蓋板２２Ｂと底面板１２とは、折目ａ２を介して連接され、底面板１２と開閉板２０とは、折目ａ３を介して連接されている。蓋板２２Ａの折目ａ１と反対側の端辺中央部には、折目ａ４を介して止め板２４が連接されており、折目ａ４の中央部には、後述する止め板２７を差し込み可能な止め孔２５が穿孔されている。開閉板２０の折目ａ３の反対側端辺には、折目ａ５を介して止め板２８が連接され、折目ａ５の中央部には、止め板２４を差し込み可能な止め孔３０が穿孔されている。開閉板２０の止め板２８側中央部には、折目ａ６を介して止め板２７が連接され、止め板２７の中央部の折目ａ６に沿った方向には、折目ａ７が形成されている。折目ａ１〜ａ５、及びａ７は、印刷面と反対側の裏面を内側にして折り曲げ可能とされており、蓋板２２Ａ、２２Ｂ、及び開閉板２０が閉じられる際には、図３に示すように、隣接する板が互いに直交するように折り曲げられる。折目ａ６は、印刷面を内側にして折り曲げ可能とされており、開閉板２０が閉じられる際に、一旦止め板２７が開閉板２０の外側に折り曲げられ、止め板２７の止め孔２５への差し込みが容易に行える構成とされている。
【００２５】
窓付板としての蓋板２２Ａの中央部には、例えば長方形状に形成された折目ｂ８を介して４枚の平板で構成される緩衝部材６０が連接されている。図１に示すように、折目ｂ８は、裏面を内側にして、緩衝部材６０と蓋板２２Ａとが直交するように折り曲げられ、折目ｂ８の長方形内側には、窓６２が形成される。図３に示すように、緩衝部材６０の折目ｂ８に沿った端辺６４は、蓋板２２Ａが閉じられた状態で、後述するトレイ７０の溝部７６に係合される。緩衝部材６０は、窓６２の形成された蓋板２２Ａとトレイ７０との間に構成された空間（以下この空間を「緩衝空間Ｓ０」という）に配置されている。緩衝部材６０は、被包装物Ｄ１による蓋板２２Ａに向かう方向への押圧によって折れ曲がったり、押圧された方向に移動したりすることで変移可能となっている。
【００２６】
図２に示すように、側面板１４Ａの２つの端辺には、フラップ３２、３４が各々折目ａ８、ａ９を介して連接されており、側面板１４Ｂの折目ｂ３と直交する２つの端辺には、フラップ３６、３８が各々折目ａ１０、ａ１１を介して連接されている。折目ａ８〜ａ１１は、裏面を内側にして折り曲げ可能とされている。フラップ３２〜３８は、蓋板２２Ａ、２２Ｂ、及び開閉板２０を閉じる際には、連接された側面板１４Ａまたは１４Ｂと直交するように折り曲げられて包装箱１０の内部に格納される。
【００２７】
図２に示すように、上面板１６の開閉板２０側の端辺中央部には、切欠部４８が形成されている。また、図１に示すように、上面板１６の中央部から蓋板２２Ｂ側には、枠部５０が構成されている。
【００２８】
図２に示すように、第１支持板５４と、仕切板としての第１仕切板４３及び第２仕切板４４と、接続板としての第２接続板４２及び第１接続板４０とは、この順でＨ方向と直交する方向に連接されている。第１仕切板４３は、折目ａ１５を介して第１支持板５４と連接され、第２仕切板４４は、第１仕切板４３と折目ａ１６を介して連接されている。第１接続板４０は、上面板１６と、折目ａ１２を介して連接されている。第２接続板４２は、第１接続板４０と、折目ａ１３を介して連接されると共に、折目ａ１４を介して第２仕切板４４と連接されている。第２接続板４２の折目ａ１３側中央部には、孔４７が穿孔されている。
【００２９】
第２仕切板４４の中央部折目ａ１６側には、トレイ用孔５６が構成されている。第１仕切板４３のＨ方向と直交する一端辺には、折目ｂ５を介して第２支持板４６Ａが連接され、他端辺には、折目ｂ６を介して第２支持板４６Ｂが連接されている。図１に示すように、折目ｂ５及びｂ６は、裏面を外側にして、第２支持板４６Ａ、４６Ｂの各々が第１仕切板４３と直交するように折り曲げられる。第２支持板４６Ａの折目ｂ５に沿った端辺、及び、第２支持板４６Ｂの折目ｂ６に沿った端辺は、底面板１２に当接される。
【００３０】
図３、図４、及び図６に示すように、折目ａ１２は、第１接続板４０と上面板１６とが角度αを成すように、裏面を内側にして折り曲げられる。第１接続板４０は、折目ａ１２を中心として回転し、これにより角度αは、０°＜α≦１８０°の範囲で変化する。折目ａ１３は、第２接続板４２と第１接続板４０とが角度βを成すように、印刷面を内側にして折り曲げられる。第１接続板４０の回転や第２接続板４２の移動、回転により角度βは、０°≦β≦１８０°の範囲で変化する。折目ａ１４は、第２仕切板４４と第２接続板４２とが角度γを成すように、印刷面を内側にして折り曲げられる。第２接続板４２の移動、回転や第２仕切板４４の移動により角度γは、０°≦γ≦１８０°の範囲で変化する。
【００３１】
移動制限部材としてのトレイ７０は、透明なプラスチック素材で構成され、図８に示すように、深皿の天地を逆にした形状であり、トレイ固定板７８、及び可視範囲を構成する被包装物固定部７２により構成されている。被包装物固定部７２は上面板７２Ａ及び側面板７２Ｂで形成されており、この内部に、デジタルカメラ等の被包装物Ｄ１に沿った形状の可視範囲空間を構成している。この可視範囲空間は、トレイ７０を載置した第１仕切板４３が箱本体内部に格納され蓋板２２Ａが閉じられた状態で、被包装物固定部７２に収納された被包装物Ｄ１の上側中央部が、窓６２を介して常に箱本体外部から見える範囲を構成している。被包装物固定部７２の下側には、被包装物Ｄ１を収納するための収納口７４が構成されている。収納口７４からは、被包装物Ｄ１が被包装物固定部７２内に収納可能とされている。被包装物固定部７２は、収納された被包装物Ｄ１の移動を、その内部に構成された可視範囲空間内に制限する。被包装物固定部７２の収納口７４と反対側の面の周囲には、窓部５０に対応するように、ほぼ長方形状に溝部７６が形成されている。トレイ固定板７８は、被包装物固定部７２の収納口７４側周囲に配置され、長方形状とされている。
【００３２】
図３に示すように、トレイ用孔５６には、被包装物Ｄ１の収納された被包装物固定部７２が下側から嵌め込まれるようになっている。折目ａ１６は、裏面を内側にして、第１仕切板４３と第２仕切板４４との間にトレイ固定板７８が挟み込まれるように折り曲げられる。これにより、収納口７４が第１仕切板４３でカバーされると共に、トレイ７０は、第１仕切板４３及び第２仕切板４４の開口部Ｋ１側中央部に固定される。
【００３３】
折目ａ１５は、第１仕切板４３と第１支持板５４とが直交するように印刷面を内側にして折り曲げられる。第１支持板５４の折目ａ１５に沿った端辺は、底面板１２に当接される。
【００３４】
折目ａ１２と折目ａ１４との距離Ｌは、第１仕切板４３及び第２仕切板４４が格納された状態で、Ｌ＝Ｌ１（図３参照）となり、第１仕切板４３及び第２仕切板４４が少し引き出された状態で、Ｌ＝Ｌ２（図４参照）となり、第１仕切板４３及び第２仕切板４４が完全に引き出された状態で、Ｌ＝Ｌ３（図６参照）となる。
【００３５】
第２接続板４２の折目ａ１４側中央部には、被包装物移動板５２が連接されている。被包装物移動板５２の板面と第２接続板４２の板面とは、角度α、β、及びγの変化によらず、常に同一面上に位置し、被包装物移動板５２と第２仕切板４４とは角度δを成している。第２仕切板４４が収納されている状態では、被包装物移動板５２のＨ方向（図２参照）に沿った端辺は、底面板１２の裏面に当接される。前述の第１支持板５４の裏面は、被包装物移動板５２の印刷面と重なり合っている。
【００３６】
上記のように包装箱１０が構成されることにより、第１仕切板４３及び第２仕切板４４が包装箱１０の内部に収納され、開閉板２０、及び蓋板２２Ａ、２２Ｂが閉じられた状態では、底面板１２、上面板１６、側面板１４Ａ、１４Ｂ、開閉板２０、及び蓋板２２Ａ、２２Ｂに囲まれた内側の空間は、第１仕切板４３及び第２仕切板４４によって、図３に示すように、第１収納部屋Ｒ１と第２収納部屋Ｒ２とに仕切られる。
【００３７】
また、第１収納部屋Ｒ１の蓋板２２Ｂ側には、トレイ７０に収納された被包装物Ｄ１を出し入れ可能な開口部Ｋ１が構成され、第２収納部屋Ｒ２の蓋板２２Ｂ側には、取扱説明書等の被包装物Ｄ２を出し入れ可能な開口部Ｋ２が構成される。
【００３８】
さらに、被包装物固定部７２の周面と、蓋板２２Ｂ、側面板１４Ａ、１４Ｂ及び開閉板２０との間には、緩衝空間Ｓ１が構成される。被包装物固定部７２は、被包装物Ｄ１による押圧によって、被包装物固定部７２の外側へ変移可能となっている。
【００３９】
なお、上記記載の第１仕切板４３は、必ずしも必要ではなく、第２仕切板４４にトレイ孔５６を形成せずに、第２仕切板４４上にトレイ７０を載置するだけの構成とすることもできる。この場合には、図１４に示すように、第２支持板４６Ａ、４６Ｂは、第２仕切板４４上に連接され、第２仕切板４４を支持する。そして、載置されたトレイ７０のトレイ固定板７８（図８参照）は、包装箱１０の側面板１４Ａ、１４Ｂに当接されるサイズとされ、側面板１４Ａ、１４Ｂに当接されることにより、トレイ７０の位置の固定がなされることが好ましい。
【００４０】
また、図２の一点鎖線で示すように、第１仕切板４３の折目ａ１６側中央部を利用して支持部材５７を形成し、図１に示すように、底面板１２に当接させて、第１支持板４６Ａ、第２支持板４６Ｂと共に、第１仕切板４３、第２仕切板４４の位置決めの機能を果たさせることもできる。
【００４１】
次に、本実施の形態の作用について説明する。
【００４２】
図３に示すように、角度αがα＝１８０°とされ、角度βがβ＝９０°とされ、角度γがγ＝９０°とされて第１仕切板４３及び第２仕切板４４が収納される。このとき折目ａ１２と折目ａ１４との距離Ｌは、Ｌ＝Ｌ１となっている。この状態で構成される収納部屋Ｒ１には、被包装物固定部７２に移動を制限されている被包装物Ｄ１が収納される。また、収納部屋Ｒ２には、被包装物Ｄ２が収納される。折目ａ３が、裏面を内側にし、かつ、開閉板２０と底面板１２とが直交するように折り曲げられ、止め板２８が上面板１６の内側に差し込まれて、開閉板２０が閉じられる。折目ａ１及びａ２が、裏面を内側にし、かつ、蓋板２２Ａ、２２Ｂと隣接する板とが互いに直交するように折り曲げられ、止め板２４が止め孔３０に差し込まれて、蓋板２２Ａ、２２Ｂが閉じられる。止め板２７が、裏面が内側になるように折目ａ７で９０°折り曲げられ、止め板２７の先端部から折目ａ７までが止め孔２５に差し込まれて、蓋板２２Ａ、２２Ｂが固定されて、被包装物Ｄ１、及びＤ２の包装が完了する。
【００４３】
上記のように、本実施の形態の包装箱１０は、開口部Ｋ１を有するので、開口部Ｋ１から被包装物Ｄ１の出し入れをすることができ、利便性が高い。また、開口部Ｋ１をカバーする蓋板２２Ａ、２２Ｂを有するので、開口部Ｋ１から外側への被包装物Ｄ１の移動を防止することができる。
【００４４】
この状態において、包装箱１０の外側からは、図９に示すように、窓６２を介して被包装物Ｄ１の一部が見えるので、蓋板２２Ａを開けることなく被包装物Ｄ１を確認することができる。また、包装箱に必ずしも被包装物Ｄ１の写真等を印刷する必要もなくなる。さらに、窓６２から見える部分を、被包装物Ｄ１の特徴的な部分、デザイン的に優れた部分等とすることで、ディスプレイ効果を得ることができる。
【００４５】
なお、本実施の形態では、窓６２及び緩衝部材６０を蓋板２２Ａの中央部に形成した例について説明したが、例えば、図９と天地を逆にした図１０に示すように、底板１２に緩衝部材８０及び窓８２を形成することもできる。この場合には、収納部屋Ｒ２に収納された被包装物Ｄ２を包装箱１０の外部から見ることができる。
【００４６】
被包装物Ｄ１が包装された状態で、包装箱１０に衝撃が加えられた場合、被包装物Ｄ１は、底板１２、側面板１４Ａ、１４Ｂ、開閉板２０、蓋板２２Ｂ、２２Ａ、及び緩衝部材６０の少なくとも１つと近づく方向へ移動するが、被包装物Ｄ１と箱本体との間には緩衝空間Ｓ０、Ｓ１、及び収納部屋Ｒ２が構成されているので、被包装物Ｄ１への直接の衝撃は回避される。
【００４７】
また、被包装物Ｄ１が包装された状態で、包装箱１０に衝撃が加えられて、被包装物Ｄ１により、緩衝部材６０が蓋板２２Ａ側のＵ方向（図３参照）へ押されると、緩衝部材６０は同方向へ変移する。これにより、被包装物Ｄ１への衝撃は吸収される。
【００４８】
被包装物Ｄ１、Ｄ２を取り出す際には、止め板２７を止め孔２５から抜き出した後、止め板２４を止め孔３０から抜き出し、蓋板２２Ａ、２２Ｂを開く。このとき、表出される部分のほとんどが印刷面なので、蓋板を開けたときのディスプレイ効果を得ることができる。
【００４９】
第１仕切板４３及び第２仕切板４４が、この板面に沿った開口部Ｋ１、Ｋ２の外側のＺ方向へ引っ張られると、図４に示すように、第１接続板４０は、折目ａ１２を支点にして角度αが小さくなるＸ方向へ回転する。また、第２接続部４２は、折目ａ１４に沿った部分が第２仕切板４４と同方向に移動すると共に、角度γが大きくなるＹ方向へ回転する。被包装物移動板５２は、折目ａ１４に沿った部分が第２仕切板４４と同じくＺ方向に移動すると共に、角度δが小さくなるＹ方向へ回転する。これにより、図５にも示すように、第１仕切板４３及び第２仕切板４４はＺ方向へ引き出され、被包装物Ｄ１も、第１仕切板４３及び第２仕切板４４と共に引き出される。また、被包装物移動板５２のＺ方向への移動により、被包装物Ｄ２は、被包装物移動板５２に押されて、Ｚ方向へ移動する。このとき、折目ａ１２と折目ａ１４との距離Ｌは、図４に示すようにＬ＝Ｌ２（Ｌ２＜Ｌ１）となり、前述の第１仕切板４３及び第２仕切板４４が収納された状態と比較して、短くなる。
【００５０】
第１仕切板４３及び第２仕切板４４が、さらにＺ方向へ引っ張られると、図６に示すように、第１接続板４０は、折目ａ１２を支点にして角度αがさらに小さくなるＸ方向へ回転する。また、第２接続部４２は、折目ａ１４に沿った部分が、さらに第２仕切板４４と同方向に移動すると共に、角度γがさらに大きくなるＹ方向へ回転する。これに伴い、第１接続板４０と第２接続部４２との成す角βは大きくなる。被包装物移動板５２は、折目ａ１４に沿った部分が、さらにＺ方向に移動すると共に、角度δがさらに小さくなるＹ方向へ回転する。これにより、図７にも示すように、第１仕切板４３及び第２仕切板４４はＺ方向へ引き出され、被包装物Ｄ１も、第１仕切板４３及び第２仕切板４４と共に引き出される。また、被包装物移動板５２のＺ方向への移動により、被包装物Ｄ２は、被包装物移動板５２に押されて、Ｚ方向へ移動する。このとき、折目ａ１２と折目ａ１４との距離Ｌは、図６に示すように、Ｌ＝Ｌ３（Ｌ２＜Ｌ１＜Ｌ３）となり、第１仕切板４３及び第２仕切板４４が収納された状態、及び、第１仕切板４３及び第２仕切板４４が少し引き出された状態のいずれと比較しても、長くなる。
【００５１】
被包装物Ｄ１の取り出しは、被包装物Ｄ２を取り除き、引き出された第１仕切板４３を第２仕切板４４と離れる方向へ回転させ、トレイ７０の収納口７４を開放して行うことができる。
【００５２】
本実施の形態の包装箱１０によれば、上記緩衝機能を有する緩衝部材６０が、蓋板２２Ａと連接されているので、緩衝部材６０を、蓋板２２Ａの延長部分の窓６２が構成される部分を利用して箱本体と一体的に形成することができ、上記緩衝効果を有し、かつ、被包装物を外部から箱との隙間なくきれいに見せることの可能な包装箱を、容易に製造することができる。
【００５３】
また、一端が上面板１６に連接された第１接続板４０と、他端が第２仕切板４４に連接された第２接続板４２とが連接され、角度α、β、及びγが変化されることにより、折目ａ１２と折目ａ１４との距離が伸縮するので、第２仕切板４４がその板面に沿ったＺ方向へ移動可能となる。したがって、被包装物Ｄ１を第１仕切板４３及び第２仕切板４４と共に開口部外側Ｚ方向へ移動させることにより容易に取り出すことができ、利便性が向上する。また、第２仕切板４４、第１接続板４０、第２接続板４２、底面板１２、側面板１４Ａ、１４Ｂ、及び上面板１６が一体的に形成されているので、容易に製造することができると共に、これら各部材を別体で形成した物と比較して、部品点数を減少させることができる。
【００５４】
なお、本実施の形態では、図２に示すような展開図で型取りしたが、必ずしもこの展開図のように型取りされる必要はない。例えば、側面板１４Ｂ及び上面板１６が、折目ｂ４を介して底面板１２と連接されるようにし、接着部２６が、折目ｂ２を介して側面板１４Ａと連接されるようにしてもよい。特に、図２に示す展開図で型取りすることにより、効率的に型取りすることができ、コストを低減することができる。
【００５５】
また、被包装物移動板５２も、必ずしも必要ではないが、被包装物移動板５２を備えることにより、収納部屋Ｒ２に収納された被包装物を、第２仕切板４４と共に引き出すことができ、利便性が向上する。また、被包装物移動板５２は、第２接続板４２と一体的に連接されているので、他の構成要素と一体的に形成することができ、上記効果を有する包装箱１０を、容易に製造することができると共に、部品点数を減少させることができる。
【００５６】
また、本実施の形態では、移動制限部材としてのトレイ７０に被包装物Ｄ１を収納して被包装物Ｄ１の包装を行ったが、トレイ７０は必ずしも必要ではなく、被包装物Ｄ１を直接第１仕切板４３上に載置して包装することもできる。特にトレイ７０を用いることにより、緩衝空間Ｓ１（図３参照）が構成されて、より高い緩衝効果を得ることができる。
【００５７】
また、本実施の形態では、移動制限部材として、トレイ７０を用いたが、他の移動制限部材を用いることもできる。例えば、図１１（Ａ）に示すように、第１仕切板４３と第２仕切板４４との間に幅板４５を配置して、第１仕切板４３と第２仕切板４４との間に隙間を設ける。そして、図１１（Ｂ）に示すように、トレイ用孔５６を構成する端面５８の内側に被包装物Ｄ１を収納して、端面５８を移動制限部材とすることもできる。この場合には、第２仕切板４４の一部が移動制限部材を兼ねる。
【００５８】
この構成によれば、端面５８を第２仕切板４４と一体的に構成することができるので、別体とした前記トレイ７０の場合と比較して、部品点数を減少させることができる。
【００５９】
さらには、図１２（Ａ）に示すように、図１１（Ａ）の端面５８に緩衝板５７を設け、図１２（Ｂ）に示すように、緩衝板５７の内側に被包装物Ｄ１を収納して、緩衝板５７を移動制限部材とすることもできる。
【００６０】
この構成によっても、緩衝板５７を第２仕切板４４と一体的に構成することができるので、部品点数を減少させることができると共に、緩衝板５７が設けられているので端面５８のみで被包装物Ｄ１の移動を制限する構成と比較して、より高い緩衝効果を得ることができる。
【００６１】
また、トレイ７０の上面板７２Ａの外側部分を、図１３に示すように、被包装物Ｄ１が収納される位置よりも上側に突出させて緩衝部分７２Ｃを形成し、上面板１６と被包装物Ｄ１との間に緩衝空間Ｓ０を形成することもできる。この場合には、緩衝部分７２Ｃにより緩衝効果が得られることになる。
【００６２】
【発明の効果】
上記説明したように、本発明の包装箱によれば、利便性を向上させる仕切板は、第１接続部が箱本体と一体的に連接された接続板の第２接続部と連接されているので、仕切板、接続板、及び箱本体を一体的に形成することができる。その結果、上記緩衝効果及び利便性を有し、かつ、被包装物を外部から見ることの可能な包装箱を、容易に製造することができる。
【図面の簡単な説明】
【図１】仕切板が収納された状態の本実施の形態の包装箱の斜視図である。
【図２】本実施の形態の包装箱の展開図である。
【図３】被包装物が包装された図１の包装箱のＡ−Ａの断面図である。
【図４】被包装物が包装された図５の包装箱のＢ−Ｂの断面図である。
【図５】仕切板が少し引き出された状態の本実施の形態の包装箱の斜視図である。
【図６】被包装物が包装された図７の包装箱のＣ−Ｃの断面図である。
【図７】仕切板が完全に引き出された状態の本実施の形態の包装箱の斜視図である。
【図８】本実施の形態のトレイの斜視図である。
【図９】蓋が閉じられた本実施の形態の包装箱の上面板側の斜視図である。
【図１０】蓋が閉じられた本実施の形態の包装箱の底面板側の斜視図である。
【図１１】（Ａ）は、本実施の形態の移動制限部材の変形例の斜視図であり、（Ｂ）はその断面図である。
【図１２】（Ａ）は、本実施の形態の移動制限部材の他の変形例の斜視図であり、（Ｂ）はその断面図である。
【図１３】本実施の形態のトレイの変形例である。
【図１４】第２仕切板の変形例である。
【符号の説明】
１０　　包装箱
１２　　底面板（箱本体）
１４Ａ、１４Ｂ　側面板（箱本体）
１６　　上面板（箱本体）
２０　　開閉板
２２Ａ　蓋板（蓋）
２２Ｂ　蓋板（蓋、窓付板）
４０　　第１接続板（接続板）
４２　　第２接続板（接続板）
４３　　第１仕切板（仕切板）
４４　　第２仕切板（仕切板）
ａ１２　折目（第１接続部）
ａ１４　折目（第２接続部）
５７　　緩衝板（移動制限部材）
５８　　端面（移動制限部材）
６０　　緩衝部材
６２　　窓
７０　　トレイ（移動制限部材）
７２Ｃ　緩衝部（緩衝部材）
Ｄ１、Ｄ２　被包装物
Ｋ１、Ｋ２　開口部
Ｌ１、Ｌ２、Ｌ３　距離
Ｒ１、Ｒ２　収納部屋
Ｓ０、Ｓ１　緩衝空間
【図１】
2004075096.tif 000003
【図２】
2004075096.tif 000004
【図３】
2004075096.tif 000005
【図４】
2004075096.tif 000006
【図５】
2004075096.tif 000007
【図６】
2004075096.tif 000008
【図７】
2004075096.tif 000009
【図８】
2004075096.tif 000010
【図９】
2004075096.tif 000011
【図１０】
2004075096.tif 000012
【図１１】
2004075096.tif 000013
【図１２】
2004075096.tif 000014
【図１３】
2004075096.tif 000015
【図１４】
2004075096.tif 000016